(57)【特許請求の範囲】
【請求項１】
物品が載せられる載置面に複数の溝リブが形成された棚板であって、
前記溝リブの延びる方向に略直交する方向の前記溝リブの断面形状は、左右非対称形であることを特徴とする棚板。
【請求項２】
前記溝リブの前記断面形状は、溝底から左右上方に向けて異なる傾斜角度で拡開した略レ字形状であることを特徴とする請求項１に記載の棚板。
【請求項３】
前記載置面の短手方向左右の縁部に、短手方向内方に開口する断面略コ字状の保持部を有し、
前記複数の溝リブは、前記載置面の長手方向に延び、前記載置面の短手方向略中央に凹凸部を形成し、
前記載置面の短手方向に沿った棚板全長Ｌと、前記凹凸部の長さＸと、前記保持部の長さＹとの間には、Ｘ＜Ｌ−４Ｙの関係が成り立つことを特徴とする請求項１または請求項２に記載の棚板。
【請求項４】
前記複数の溝リブによって略鋸歯断面形状の凹凸部が前記載置面に形成されることを特徴とする請求項１から請求項３のいずれか一つに記載の棚板。
【請求項５】
請求項１から請求項４のいずれか一つに記載の棚板を備えた収納棚。
【請求項６】
前記棚板の前記載置面には、前記複数の溝リブによって所定の目の向きを有する凹凸部が形成され、前記凹凸部は、奥側方向に対して順目となるように設定され、手前方向に対して逆目となるように設定されることを特徴とする請求項５に記載の収納棚。
【請求項７】
前記棚板の前記載置面には、前記複数の溝リブによって所定の目の向きを有する凹凸部が形成され、収納棚の手前側に形成される前記凹凸部の目の向きは、奥側方向に対して順目となるように設定され、収納棚の奥側に形成される前記凹凸部の目の向きは手前方向に対して順目となるように設定されることを特徴とする請求項５に記載の収納棚。
【発明の詳細な説明】
【技術分野】
【０００１】
本発明は、物品や書物などを収納する収納棚に用いられる棚板に関し、とくに、地震などの振動や衝撃力を受けた場合に物品の落下を防止する棚板および該棚板を備えた収納棚に関するものである。
【背景技術】
【０００２】
従来、物品を載せる載置面に、略Ｖ字断面形状の溝リブが複数形成された棚板が知られている（例えば、特許文献１および特許文献２参照）。こうした溝リブは、載置面の剛性を高めるよう機能し、板厚が薄い載置面のベコベコ感を抑える一方で、積載可能重量の増加を図るようになっている。
【０００３】
一方、地震発生の際に、棚板に載せられた物品の落下を防止する構造が知られている（例えば、特許文献３）。特許文献３に示される棚板は、物品の前方への飛び出しを防止する脱落防止部材を備えており、通常時には棚の前面間口に装着されて物品の落下を防止する一方で、物品出し入れ時には受止具から外されて間口を確保するようになっている。
【０００４】
【特許文献１】実開昭６２−１４８１４２号公報
【特許文献２】特開２００３−２９９５３８号公報
【特許文献３】特開２００２−２２３８７７号公報
【発明の開示】
【発明が解決しようとする課題】
【０００５】
ところで、上記の従来の特許文献３の脱落防止部材を備えた棚板は、棚から物品を出し入れする際に、脱落防止部材を受止具から外す必要があるので、時間や手間が掛かり不便である。また、棚板の部品点数が多くなって構造が複雑化し、製造加工コストの上昇を招くおそれがある。
【０００６】
一方、上記の従来の特許文献１等の載置面に溝リブを有する棚板では、棚板の載置面の剛性を高めるものの、この棚板単独で地震時の物品の落下を防止することは難しかった。すなわち、地震が発生すると、物品は棚板の短手方向の前後いずれかの方向に移動して落下する。この物品の落下方向を予測することは困難であり、この棚板単独で地震時の物品の落下を防止することは難しい。
【０００７】
本発明は、上記実情に鑑みてなされたものであり、棚板の載置面の剛性を高める一方で、地震発生時等の物品の移動方向に指向性を付与することにより、物品の落下防止を図ることができる簡素な棚板および該棚板を備えた収納棚を提供することを目的とする。
【課題を解決するための手段】
【０００８】
上記の目的を達成するために、本発明の請求項１に係る棚板は、物品が載せられる載置面に複数の溝リブが形成された棚板であって、前記溝リブの延びる方向に略直交する方向の前記溝リブの断面形状は、左右非対称形であることを特徴とする。
【０００９】
また、本発明の請求項２に係る棚板は、上述した請求項１において、前記溝リブの前記断面形状は、溝底から左右上方に向けて異なる傾斜角度で拡開した略レ字形状であることを特徴とする。
【００１０】
また、本発明の請求項３に係る棚板は、上述した請求項１または請求項２において、前記載置面の短手方向左右の縁部に、短手方向内方に開口する断面略コ字状の保持部を有し、前記複数の溝リブは、前記載置面の長手方向に延び、前記載置面の短手方向略中央に凹凸部を形成し、前記載置面の短手方向に沿った棚板全長Ｌと、前記凹凸部の長さＸと、前記保持部の長さＹとの間には、Ｘ＜Ｌ−４Ｙの関係が成り立つことを特徴とする。
【００１１】
また、本発明の請求項４に係る棚板は、上述した請求項１から請求項３のいずれか一つにおいて、前記複数の溝リブによって略鋸歯断面形状の凹凸部が前記載置面に形成されることを特徴とする。
【００１２】
また、本発明の請求項５に係る収納棚は、上述した請求項１から請求項４のいずれか一つに記載の棚板を備える。
【００１３】
また、本発明の請求項６に係る収納棚は、上述した請求項５において、前記棚板の前記載置面には、前記複数の溝リブによって所定の目の向きを有する凹凸部が形成され、前記凹凸部は、奥側方向に対して順目となるように設定され、手前方向に対して逆目となるように設定されることを特徴とする。
【００１４】
また、本発明の請求項７に係る収納棚は、上述した請求項５において、前記棚板の前記載置面には、前記複数の溝リブによって所定の目の向きを有する凹凸部が形成され、収納棚の手前側に形成される前記凹凸部の目の向きは、奥側方向に対して順目となるように設定され、収納棚の奥側に形成される前記凹凸部の目の向きは手前方向に対して順目となるように設定されることを特徴とする。
【発明の効果】
【００１５】
本発明によれば、載置面に形成された左右非対称形状の溝リブが載置面の摩擦抵抗に方向差を作り出すので、地震などの振動発生の際に、載置面に載せられた物品の動きに指向性を持たせることができる。このため載置面上の物品の移動方向を予測し易くなる。例えば、地震発生時に、物品が収納棚奥に設けた壁側に向かって移動し易いように、予め本発明の棚板を配置しておくことにより、物品が棚の前方から飛び出すことによる落下を未然に防止することができる。また、例えば、物品が載置面の中央部に向かって移動し易いように、溝リブを載置面の中央部に関して逆目配置しておけば、物品が載置面の縁側に移動することによる落下を防止することができる。
【００１６】
また、本発明は、地震時等において物品の落下を防止することができる一方で、左右非対称形状の溝リブという非常に簡素な構成であることから、脱落防止部材などの落下防止のための専用の部材を要しない。このため、棚の通常使用時に部材の脱着で手間取ることはなく、物品の出し入れを迅速に行うことができ、出し入れ作業に何ら支障を与えない。
【００１７】
また、本発明は、溝リブによる凹凸が棚板の載置面の剛性を高めるように作用する。このため、板厚が薄い場合であっても載置面のベコベコ感を抑制することができ、同一板厚にて積載可能な物品重量の増加も図ることができる。また、載置面に形成される左右非対称形状の溝リブという非常に簡素な構成であることから、製造加工コストを押し上げることもない。
【発明を実施するための最良の形態】
【００１８】
以下に添付図面を参照しながら、本発明に係る棚板の好適な実施の形態を詳細に説明する。図１は、本発明に係る棚板の一例を示す概略縦断面図であり、図２は、棚板の概略平面図、図３は、棚板の概略斜視図である。図４は、本発明の棚板が用いられた物品収納棚の一例を示す概略斜視図である。
【００１９】
図１、図２、図３および図４に示すように、本発明に係る棚板１０は、物品等を収納する本発明に係る収納棚１００に用いられるスチール製の略矩形状の棚板であり、物品が載せられる載置面１２には、棚板の長手方向に延びる溝リブ１４が互いに平行に複数形成されている。棚板１０は、載置面１２の短手方向左右の縁部に、短手方向内方に開口する断面略コ字状の保持部２０を備える。
【００２０】
溝リブ１４は、図１に示すように、縦断面視で溝底１６から左右上方に向けて異なる傾斜角度で拡開した左右非対称の略レ字形状に形成されている。この溝リブ１４が複数形成されることで載置面１２の短手方向略中央には、断面視で連続鋸形状の凹凸部１８を形成する。このようにすることで、載置面１２に左右の摩擦抵抗差を形成することができる。また、薄い載置面１２の面外剛性を高めることもできる。
【００２１】
溝リブ１４は、ロール成型加工により形成することができ、棚板１０として要求される強度等の仕様に応じた溝幅、傾斜角度、配置本数としてよい。この場合、例えば、図１に示すように、略レ字形状の溝幅Ａを１０ｍｍ程度、載置面１２から溝底１６までの深さＨを６ｍｍ程度の凹形状とし、載置面１２に対する一方側の傾斜角度θを略３０度、他方側の傾斜角度を略９０度の鉛直としてもよい。そして、この形の溝４本を載置面１２の短手方向略中央部に５ｍｍ程度の間隔で配置してもよい。
【００２２】
搬送時における棚板１０は、図５に示すように、通常２枚の棚板１０を一組としてそれぞれの裏面を向かい合わせた状態で梱包される。この場合、梱包された一組の棚板１０の断面が大きくならないように、各棚板１０を横にずらして一方の棚板の保持部２０の底面２０ａが他方の棚板の載置面１２の裏面１２ａに当接するように向かい合わせ、保持部２０の底面２０ａが凹凸部１８の溝底１６に持ち上げられることによる棚板断面高さの増加を抑制することが好ましい。こうするためには、例えば、載置面１２の短手方向に沿った棚板１０の全長をＬ、保持部２０の長さをＹとしたとき、凹凸部１８の短手方向寸法Ｘを、Ｘ＜Ｌ−４Ｙの関係式が成り立つ寸法に構成すればよい。この場合、棚板１０の各寸法として、例えば、Ｌ＝１５０ｍｍ、Ｙ＝２０ｍｍ、Ｘ＝６０ｍｍを選択することができる。
【００２３】
収納棚１００は、図４に示すように、アングル材を四角形に組んで構成した枠体２２を２つ前後方向に対向させ、その間に略矩形板状の棚部２４を上下略等間隔に６段配置して略直方体状に構成される。棚部２４は、本発明の棚板３枚を短手方向に互いに隣接して構成され、棚板１０の短手方向が棚１００の奥行き方向（前後方向）、長手方向が棚１００の間口方向となっている。棚板１０の物品が載せられる載置面１２は略水平にされてある。収納棚１００は、建物の壁際（不図示）に配置され、後面開口２６はこの壁によって閉塞される。物品の出し入れは前面開口２８から行うようにされてある。
【００２４】
上記構成の動作および作用について説明する。
収納棚１００の棚板１０の物品を載せる載置面１２に形成された複数の溝リブ１４が縦断面視で左右非対称形状とされ、この溝リブ１４によって形成される略鋸形状の凹凸部１８によって、載置面１２には左方向と右方向とで摩擦係数が異なる状態が作り出されている。こうすることで、地震などの振動発生の際に、載置面１２に載せられた物品の動きに指向性を持たせることができる。そして、地震などの振動や衝撃力などの外力が収納棚１００に作用すると、載置面１２上の物品は、摩擦抵抗の小さい動き易い方向への少ない方向に動き出す。ここで、収納棚１００の後側に向かって順目となるように溝リブ１４が形成されていると、物品は後面側（奥側）に向かって動き出す。奥側の開口２６は建物の壁によって塞がれているので、物品は奥側に移動して壁に動きを止められる。
【００２５】
このように、地震発生時に物品は、棚の奥側が壁の場合には奥側の壁に向かって移動するので落下防止される。また、２つの収納棚１００の後面開口２６同士をくっつけて配置する場合には、地震時に各収納棚１００内の物品が互いの後面側に向かって移動するように棚板１０を配置することで、２つの収納棚１００の物品の落下防止を図ることもできる。
【００２６】
また、本発明は、脱落防止部材などの落下防止のための専用の部材を要しないことから、棚１００の通常使用時に部材の脱着で手間取ることはない。また、物品の出し入れを迅速に行うことができ、出し入れ作業に何ら支障を与えない。さらに、溝リブ１４が棚板１０の載置面１２の剛性を高めるように作用する。このため、板厚が薄い場合であっても載置面１２のベコベコ感を抑制することができ、同一板厚にて積載可能な物品重量の増加も図ることができる。
【００２７】
上記の実施形態において、隣接配置された棚板１０の各載置面１２の溝リブ１４による凹凸部１８の目を互いに反対方向になるように逆目配置にすれば、地震時の物品の移動方向を棚中央側となるように設定することができる。なお、この場合、複数の溝リブ１４を逆目配置した棚板１０一枚を用いてもよい。
【００２８】
次に、本発明による効果を確認するために行った静止摩擦力の測定試験および振動試験Ｃ１およびＣ２について、図を参照しながら以下に説明する。
まず、静止摩擦力の測定試験および効果の確認結果について説明する。本試験は、本発明の棚板１０上に載せられた積載物（物品）の移動に要した静止摩擦力をブッシュゲージで測定するものである。図６に示すように、試験台の水平面に固定したスチール製棚板１０の上（載置面１２）に質量５ｋｇのウエイトを入れたダンボール製ケースを載せる。このケースに水平方向（Ａ方向またはＢ方向）の外力を作用させてゆき、ケースが移動し始めるときの力（静止摩擦力）を測定する。表１に静止摩擦力の測定結果を示す。なお、試験は、測定誤差低減のために各方向について５回ずつ行っている。
【表１】
0005130096.tif 000002
【００２９】
表１に示すように、積載物が移動し始める力（静止摩擦力）は、Ａ方向では４４．０Ｎ、Ｂ方向では３５．７Ｎ（いずれも平均値）であり、静止摩擦力はＢ方向のほうがＡ方向よりも小さく、Ａ方向とＢ方向とで、摩擦抵抗に方向差が生じていることが判る。このため、棚板１０の載置面１２に形成された複数の左右非対称形状の溝リブ１４によって、棚板１０上の積載物は摩擦抵抗が小さいＢ方向に移動し易くなっていることが判る。
【００３０】
次に、振動試験Ｃ１および効果の確認結果について説明する。本試験は、図７に示すように、振動試験装置３０に固定された棚板の上に積載物（物品）を載せ、地震波として周波数２０Ｈｚの振動を想定し、この周波数で２０秒間加振したときの積載物の挙動（移動方向および距離）を測定するものである。なお、比較対象として、表面に溝が設けられていない平滑な棚板についても同一試験条件にて行っている。測定は、測定誤差低減のため各条件につき３回ずつ行っている。表２に振動試験Ｃ１による測定結果を示す。
【表２】
0005130096.tif 000003
【００３１】
表２によれば、平滑棚板の場合には、積載物は移動方向が定まらずＡ方向やＢ方向など様々な方向へ移動し、移動方向に指向性がないことが判る。しかしながら、本発明の非対称溝付き棚板１０の場合には、常に摩擦抵抗の小さなＢ方向へと移動しており、移動方向に指向性があることが判る。
【００３２】
次に、図７および図８を用いて、振動試験Ｃ２について説明する。本試験Ｃ２は、複数の溝リブ１４による凹凸部１８の目の向きと、物品の材質の違いによる本発明の効果への影響を確認するために行った。本試験Ｃ２は、上述した振動試験Ｃ１と同様に、図７に示すように、振動試験装置３０に固定された棚板に周波数２０Ｈｚの振動を２０秒間継続して加え、棚板に載せられた物品の水平方向移動量を測定するものである。図８は、振動試験Ｃ２の概要とその測定結果概要を示す図である。
【００３３】
図８に示すように、試験Ｃ２は、棚板条件と積載物条件とを変えて試験Ｉ〜試験ＩＶの６ケースについて行うものである。棚板条件は、載置面がフラットである場合と、複数溝による目が順目配置の場合（図９参照）と、逆目配置の場合（図１０参照）の３ケースである。積載物条件は、５ｋｇの鉄板を棚板に直接載置する場合と、５ｋｇ鉄板をダンボール敷にて載置する場合の２ケースである。
【００３４】
ここで、試験Ｉは、載置面がフラットな棚板上に５ｋｇ鉄板を直接載置したケース、試験ＩＩは、順目配置した３枚の棚板上に５ｋｇ鉄板を直接載置したケース、試験ＩＩＩは、互いに逆目配置した３枚の棚板上に５ｋｇ鉄板を直接載置したケースである。また、試験ＩＶは、載置面がフラットな棚板上に５ｋｇ鉄板をダンボール敷にて載置したケース、試験Ｖは、順目配置した３枚の棚板上に５ｋｇ鉄板をダンボール敷にて載置したケース、試験ＶＩは、互いに逆目配置した３枚の棚板上に５ｋｇ鉄板をダンボール敷にて載置したケースである。なお、測定は、測定誤差低減のために各ケースにつき３回実施している。
【００３５】
図８の結果概要に示すように、試験Ｉ〜試験ＶＩの各ケースとも本発明の複数の溝リブによる凹凸の目の影響が顕著に現れており、加振時には物品は載置面の摩擦抵抗の小さい方向へ移動することが判る。とくに、試験ＩＩＩの逆目配置の場合には、摩擦抵抗の干渉作用によって移動量が試験ＩＩの順目配置の場合に比べ半減することが判る。また、物品の材質による影響については、ダンボール敷きの場合には、とくに逆目配置の場合、試験ＶＩは試験ＩＩＩに比べて制動性の向上がみられた。なお、この試験ＶＩの移動量は、試験ＩＶのフラット棚板とほぼ同程度の移動量となった。また、順目配置の試験ＩＩや試験Ｖは、フラット棚板の試験Ｉや試験ＩＶに比較すると移動量はそれぞれ５倍程度となることが判る。また、段ボール敷きの場合には、逆目配置の試験ＶＩは、順目配置の試験Ｖの移動量の５分の１程度となることが判る。
【００３６】
以上説明したように、本発明によれば、物品が載せられる載置面に左右非対称形状の溝が形成されるので、左方向の摩擦抵抗と右方向の摩擦抵抗とに方向差を付与することができる。このため、本発明の棚板を備える収納棚に地震力などの振動や衝撃力が作用した場合に、物品の移動方向に指向性を付与することができる。したがって、物品が移動し易いように棚板を設置することによって、地震時の物品の動きを、ユーザが意図する方向に設定することができる。このため、例えば、物品が棚奥側や中央側に向かって動き易くしたり、手前側に向かって動きにくい態様に棚板を配置することによって、地震時の物品の落下を未然に防止することができる。
【図面の簡単な説明】
【００３７】
【図１】本発明に係る棚板の一例を示す概略縦断面図である。
【図２】本発明に係る棚板の一例を示す概略平面図である。
【図３】本発明に係る棚板の一例を示す概略斜視図である。
【図４】本発明に係る収納棚の一例を示す概略斜視図である。
【図５】搬送用に重ね合わされた一組の棚板の一例を示す概略縦断面図である。
【図６】静止摩擦力の測定試験の実施状況を説明する正面図である。
【図７】振動試験Ｃ１およびＣ２の実施状況を説明する正面図である。
【図８】振動試験Ｃ２の概要とその測定結果概要を示す図である。
【図９】順目配置された３枚の棚板を示す正面図である。
【図１０】逆目配置された３枚の棚板を示す正面図である。
【符号の説明】
【００３８】
１０  棚板
１２  載置面
１４  溝リブ
１６  溝底
１８  凹凸部
２０  保持部
２２  枠体
２４  棚部
２６  後面開口
２８  前面開口
１００  収納棚
【図１】
0005130096.tif 000004
【図２】
0005130096.tif 000005
【図３】
0005130096.tif 000006
【図４】
0005130096.tif 000007
【図５】
0005130096.tif 000008
【図６】
0005130096.tif 000009
【図７】
0005130096.tif 000010
【図８】
0005130096.tif 000011
【図９】
0005130096.tif 000012
【図１０】
0005130096.tif 000013